(57)【要約】      （修正有）【課題】ユーザーが見たい情報を即座に見つけることが出来るように、ユーザーの所望の番組表を構成でき、かつ簡易記録実行時に番組がすべて記録できるかどうかをユーザーに知らせることができる記録再生装置を提供する。【解決手段】電子番組ガイドデータから表示する項目をユーザーの好みによって選択するための手段を設け、さらに簡易記録の終了時刻と番組終了時刻と不足時間を表示する手段を有する。【選択図】図１
2008131283.tif 000002
【特許請求の範囲】
【請求項１】
電子番組ガイドデータを含む受信データを受信するための受信手段と、前記受信手段によって受信された前記受信データを映像データ、音響データ、及び電子番組ガイドデータに分離するための分離手段と、分離抽出された電子番組ガイドデータをデコードするための電子番組ガイドデータデコード手段と、分離抽出された映像データを映像処理するための映像データ処理手段と、分離された音声データを音声処理するための音声データ処理手段と、前記映像データの表示出力と前記音響データの音響出力と前記電子番組表の表示出力とを含む出力制御を行う出力制御手段と、電子番組表を作成するための電子番組表作成手段と、前記電子番組表を表示するかしないかを設定するための電子番組表表示設定手段と、前記電子番組ガイドデータから番組の選択指定を含む各種入力操作が可能な入力手段と、前記電子番組表から視聴予約、再生予約、および記録予約の設定を行う予約設定手段と、現在時間を計時する時計手段と、現在放送中の番組を所望時間のあいだ記録するためのコマンドを送出する簡易記録実行手段と、前記所望時間を設定するための簡易記録時間設定手段と、ＯＳＤ信号を発生するためのＯＳＤ信号発生手段と、前記映像データ処理手段および前記音声データ処理手段の出力信号を記録するための記録再生手段とを備える記録再生装置において、
前記電子番組ガイドデータのうち所望の表示項目を選択するための表示項目選択手段と、
前記電子番組表の番組時間範囲を設定するための時間範囲設定手段と、
前記電子番組表を表示する時間を設定するための表示時間設定手段と、
前記電子番組表をスクロールさせるスクロール手段と、
前記簡易記録実行手段が実行されたときには、前記簡易記録の終了時刻と前記簡易記録対象番組の終了時刻とともに前記電子番組表作成手段によって前記選択された表示項目から構成される電子番組表を前記ＯＳＤ信号発生手段によって出力し、
前記簡易記録終了時刻が前記簡易記録対象番組の終了時刻よりも前の場合には、前記時計手段によって前記簡易記録終了時刻と前記簡易記録対象番組の終了時刻の差の時間も前記電子番組表に付加して前記ＯＳＤ信号発生手段によって出力し、
前記電子番組表を前記スクロール手段によってスクロール表示信号を前記ＯＳＤ信号発生手段に出力することを特徴とする記録再生装置。
【請求項２】
電子番組ガイドデータを含む受信データを受信するための受信手段と、前記受信手段によって受信された前記受信データを映像データ、音響データ、及び電子番組ガイドデータに分離するための分離手段と、分離抽出された電子番組ガイドデータをデコードするための電子番組ガイドデータデコード手段と、分離抽出された映像データを映像処理するための映像データ処理手段と、分離された音声データを音声処理するための音声データ処理手段と、前記映像データの表示出力と前記音響データの音響出力と前記電子番組表の表示出力とを含む出力制御を行う出力制御手段と、電子番組表を作成するための電子番組表作成手段と、前記電子番組表を表示するかしないかを設定するための電子番組表表示設定手段と、前記電子番組ガイドデータから番組の選択指定を含む各種入力操作が可能な入力手段と、前記電子番組表から視聴予約、再生予約、および記録予約の設定を行う予約設定手段と、現在時間を計時する時計手段と、現在放送中の番組を所望時間のあいだ記録するためのコマンドを送出する簡易記録実行手段と、前記所望時間を設定するための簡易記録時間設定手段と、ＯＳＤ信号を発生するためのＯＳＤ信号発生手段と、前記映像データ処理手段および前記音声データ処理手段の出力信号を記録するための記録再生手段とを備える記録再生装置において、
前記電子番組ガイドデータのうち所望の表示項目を選択するための表示項目選択手段と、
前記簡易記録実行手段が実行されたときには、前記簡易記録の終了時刻と前記簡易記録対象番組の終了時刻とともに前記電子番組表作成手段によって前記選択された表示項目から構成される電子番組表を前記ＯＳＤ信号発生手段によって出力し、
前記簡易記録終了時刻が前記簡易記録対象番組の終了時刻よりも前の場合には、前記時計手段によって前記簡易記録終了時刻と前記簡易記録対象番組の終了時刻の差の時間も前記電子番組表に付加して前記ＯＳＤ信号発生手段によって出力することを特徴とする記録再生装置。
【請求項３】
前記電子番組表の番組時間範囲を設定するための時間範囲設定手段を有する請求項２に記載の記録再生装置。
【請求項４】
前記電子番組表を表示する時間を設定するための表示時間設定手段を有する請求項２に記載の記録再生装置。
【請求項５】
前記電子番組表をスクロールさせるスクロール手段を有する請求項２に記載の記録再生装置。
【発明の詳細な説明】
【技術分野】
【０００１】
本発明は、電子番組表データをデコードして表示する記録再生装置に関し、特に番組内容を容易に把握することが可能な記録再生装置に関するものである。
【背景技術】
【０００２】
テレビジョン放送等の番組は、空間を介して電波で伝送されたり、有線を介して供給されるケーブルテレビジョン（ＣＡＴＶ）により伝送されており、ユーザーは伝送されてきた番組の内、好みのチャンネルの番組をテレビジョン受像機で選局して視聴したり、録画装置で録画を行うことができるようになされている。
【０００３】
このようなテレビジョン放送等の番組の選択は、一般に印刷された番組表を見ながら行われているが、伝送されるチャンネル数が多い場合、例えば１００チャンネルになると、１００チャンネルの番組が掲載された新聞や刊行物の番組表から好みの番組をサーチすることは容易ではない。
【０００４】
そこで、容易に所望の番組のサーチを行えるように、放送される各チャンネルの番組表のデータをテレビジョン信号に支障がないように、特定のチャンネルのビデオ信号の垂直ブランキング期間に挿入して伝送するようにし、ユーザーは伝送されてきた番組表データをテレビジョン受像機に画面表示させることにより、チャンネルのサーチを行って所望のチャンネルの番組を選択することが行われている。この番組表データは電子番組ガイドと称され、この電子番組ガイドの表示画面から番組を選択して受信し、その番組の録画予約を行うことができるようにされている。
【０００５】
特許文献１には、現在放送中の各番組の残り時間、現在時刻までの経過時間等を考慮して、現在放送中の各番組の中から視聴したい番組を選択可能とし、また次に放送される予定の各番組の放送開始時刻までの時間を考慮して、次に放送される予定の各番組の中から視聴したい番組を選択可能とするデジタルテレビ放送受信機が開示されている。
【特許文献１】特開平11-187329
【発明の開示】
【発明が解決しようとする課題】
【０００６】
特許文献１では、現在放送中の番組、および次に放送予定の番組に関する情報を表示できるが、表示される項目が複雑になるために使用者が情報を見にくくなるという課題がある。
【０００７】
本発明は、このような課題を鑑みて、ユーザーが見たい情報を即座に見つけることが出来るような、ユーザーの所望の番組表を構成することが出来る手段を提供することを目的とする。
【課題を解決するための手段】
【０００８】
記録再生装置であって、電子番組ガイドデータを含む受信データを受信するための受信手段と、前記受信手段によって受信された前記受信データを映像データ、音響データ、及び電子番組ガイドデータに分離するための分離手段と、分離抽出された電子番組ガイドデータをデコードするための電子番組ガイドデータデコード手段と、分離抽出された映像データを映像処理するための映像データ処理手段と、分離された音声データを音声処理するための音声データ処理手段と、前記映像データの表示出力と前記音響データの音響出力と前記電子番組表の表示出力とを含む出力制御を行う出力制御手段と、電子番組表を作成するための電子番組表作成手段と、前記電子番組表を表示するかしないかを設定するための電子番組表表示設定手段と、前記電子番組ガイドデータから番組の選択指定を含む各種入力操作が可能な入力手段と、前記電子番組表から視聴予約、再生予約、および記録予約の設定を行う予約設定手段と、現在時間を計時する時計手段と、現在放送中の番組を所望時間のあいだ記録するためのコマンドを送出する簡易記録実行手段と、前記所望時間を設定するための簡易記録時間設定手段と、ＯＳＤ信号を発生するためのＯＳＤ信号発生手段と、前記映像データ処理手段および前記音声データ処理手段の出力信号を記録するための記録再生手段とを備え、前記電子番組ガイドデータのうち所望の表示項目を選択するための表示項目選択手段と、前記電子番組表の番組時間範囲を設定するための時間範囲設定手段と、前記電子番組表を表示する時間を設定するための表示時間設定手段と、前記電子番組表をスクロールさせるスクロール手段と、前記簡易記録実行手段が実行されたときには、前記簡易記録の終了時刻と前記簡易記録対象番組の終了時刻とともに前記電子番組表作成手段によって前記選択された表示項目から構成される電子番組表を前記ＯＳＤ信号発生手段によって出力し、前記簡易記録終了時刻が前記簡易記録対象番組の終了時刻よりも前の場合には、前記時計手段によって前記簡易記録終了時刻と前記簡易記録対象番組の終了時刻の差の時間も前記電子番組表に付加して前記ＯＳＤ信号発生手段によって出力し、前記電子番組表を前記スクロール手段によってスクロール表示信号を前記ＯＳＤ信号発生手段に出力する。
【０００９】
記録再生装置であって、電子番組ガイドデータを含む受信データを受信するための受信手段と、前記受信手段によって受信された前記受信データを映像データ、音響データ、及び電子番組ガイドデータに分離するための分離手段と、分離抽出された電子番組ガイドデータをデコードするための電子番組ガイドデータデコード手段と、分離抽出された映像データを映像処理するための映像データ処理手段と、分離された音声データを音声処理するための音声データ処理手段と、前記映像データの表示出力と前記音響データの音響出力と前記電子番組表の表示出力とを含む出力制御を行う出力制御手段と、電子番組表を作成するための電子番組表作成手段と、前記電子番組表を表示するかしないかを設定するための電子番組表表示設定手段と、前記電子番組ガイドデータから番組の選択指定を含む各種入力操作が可能な入力手段と、前記電子番組表から視聴予約、再生予約、および記録予約の設定を行う予約設定手段と、現在時間を計時する時計手段と、現在放送中の番組を所望時間のあいだ記録するためのコマンドを送出する簡易記録実行手段と、前記所望時間を設定するための簡易記録時間設定手段と、ＯＳＤ信号を発生するためのＯＳＤ信号発生手段と、前記映像データ処理手段および前記音声データ処理手段の出力信号を記録するための記録再生手段とを備え、前記電子番組ガイドデータのうち所望の表示項目を選択するための表示項目選択手段と、前記簡易記録実行手段が実行されたときには、前記簡易記録の終了時刻と前記簡易記録対象番組の終了時刻とともに前記電子番組表作成手段によって前記選択された表示項目から構成される電子番組表を前記ＯＳＤ信号発生手段によって出力し、
前記簡易記録終了時刻が前記簡易記録対象番組の終了時刻よりも前の場合には、前記時計手段によって前記簡易記録終了時刻と前記簡易記録対象番組の終了時刻の差の時間も前記電子番組表に付加して前記ＯＳＤ信号発生手段によって出力する。
【００１０】
記録再生装置であて、前記電子番組表の番組時間範囲を設定するための時間範囲設定手段を有する。
【００１１】
記録再生装置であって、前記電子番組表を表示する時間を設定するための表示時間設定手段を有する。
【００１２】
記録再生装置であって、前記電子番組表をスクロールさせるスクロール手段を有する。
【００１３】
前記の通り構成することにより、電子番組ガイドデータから表示する項目をユーザーの好みによって選択でき、かつ簡易記録を実行したときに簡易記録に関する情報を使用者に知らせるよう作用する。
【発明の効果】
【００１４】
請求項１による発明によれば、受信した電子番組ガイドデータから、ユーザーが表示を所望する項目を選択してそれらの項目のみを一覧表示することにより、ユーザーが知りたい情報を即座に見ることが可能となる。また、簡易記録を実行させたときに、簡易記録の終了時刻と、簡易記録の対象番組の電子番組ガイドデータから読み出して終了時刻と共に表示し、さらには簡易記録実行時間が簡易記録対象番組を最後まで記録出来ない場合には、記録延長すべき時間を表示することで、ユーザーに簡易記録対象番組を最後まで記録する為に延長必要であることを知らせることが可能となる。またスクロール手段によって電子番組表をスクロールして見やすくすることを可能とする。
【００１５】
請求項２による発明によれば、受信した電子番組ガイドデータから、ユーザーが表示を所望する項目を選択してそれらの項目のみを一覧表示することにより、ユーザーが知りたい情報を即座に見ることが可能となる。また、簡易記録を実行させたときに、簡易記録の終了時刻と、簡易記録の対象番組の電子番組ガイドデータから読み出して終了時刻と共に表示し、さらには簡易記録実行時間が簡易記録対象番組を最後まで記録出来ない場合には、記録延長すべき時間を表示することで、ユーザーに簡易記録対象番組を最後まで記録する為に延長必要であることを知らせることが可能となる。
【００１６】
請求項３による発明によれば、電子番組表の番組時間範囲を設定することによって、ユーザーが知りたい時間帯の電子番組表を見ることが可能となる。
【００１７】
請求項４による発明によれば、ユーザーの希望する電子番組表の表示時間を設定することが可能となる。
【００１８】
請求項５による発明によれば、電子番組表をスクロールさせることで、文字フォントを小さくすることなく、ユーザーに見やすい表示が可能となる。
【発明を実施するための最良の形態】
【００１９】
以下、図面を参照しつつ、本発明の実施の形態について説明する。
【実施例１】
【００２０】
図１は、本発明の電子番組ガイド受信装置を含んだ基本的な記録装置の構成を示すブロック図である。本実施例は、放送信号を受信するための受信手段１、電子番組ガイドデータ等の多重化信号と映像音声信号を分離するための分離手段２、映像信号を復調するための映像信号処理部３、音声信号を復調するための音声信号処理部４、ＯＳＤ信号を発生するＯＳＤ信号発生手段１７、映像信号処理部３で復調された映像信号とＯＳＤ信号発生手段１７で生成された文字信号を重畳するためのマルチプレクサ５、マルチプレクサ５からの信号を出力するためのアナログ映像出力部６、音声信号処理部４からの信号を出力するためのアナログ音声出力部７、アナログ映像出力部６からの出力信号を表示するための表示機８、アナログ音声出力部７からの出力信号を再生するためのスピーカー９、分離手段２で分離された電子番組ガイドデータをデコードするための電子番組ガイドデータデコード手段２ａ、各動作を制御する制御部１０ａ、映像音声信号を記録再生するための記録再生手段１８、ユーザーからの指令を入力するための入力手段１４ａから構成される。
【００２１】
次に、上記装置の動作を説明する。受信手段１は特定の放送局のチャンネルを受信し映像及び音声データを受信すると共に、放送局からの電子番組ガイドデータを受信する。この電子番組ガイドデータは、例えば１週間ごとにテレビ放送局から送信されるテレビ番組の放送予定のデータであって、番組ごとに、タイトル、開始日時、終了日時、分類、番組内容説明等から構成されるものである。
【００２２】
分離手段２は、受信手段１から電子番組ガイドデータを分離し、電子番組ガイドデータデコード手段２ａで復調されて制御部１０ａに送られる。簡易記録実行手段１３は、視聴者が現在視聴している番組を記録したいときに、簡易記録実行手段を実行させると、現在の時点から簡易記録時間設定手段１１によって設定された時間分のみ、記録を実行する。簡易記録時間設定手段１１によって設定された時間が３０分である場合、図示しない入力手段１４ａの簡易記録キーを押下するごとに、３０分、６０分、９０分、１２０分というように簡易記録時間を延長することが可能で、押下したその時点から記録実行を開始する。このとき、同時に記録モードが設定される。記録モードとは、画質の品質のことを意味しており、通常６段階に区分され、品質の高い順に、ＸＰ、ＳＰ、ＬＰ、ＥＰ、ＳＬＰ、ＳＥＰと決められている。
【００２３】
同時に、入力手段１４ａから図示されない簡易記録キーが押下されると、番組表作成手段１４によって番組表が作成され、ＯＳＤ信号発生手段１７に文字信号が送られる。ＯＳＤとはＯｎ  Ｓｃｒｅｅｎ  Ｄｉｓｐｌａｙ（オンスクリーンディスプレイ）の略で、ＯＳＤ文字信号発生手段は、放送受信信号等の映像信号以外の文字や図形を表す映像データ信号を作成し、マルチプレクサ５によってテレビなどの画面上に表示する手段のことである。ＯＳＤ信号発生手段１７によって一覧表を表す映像信号が出力されてマルチプレクサ５によって放送信号から復調された映像信号に重畳され、アナログ映像出力部６を介して表示機８に表示される。
【００２４】
次に本発明における表示項目選択設定までの動作を図２、図３を参照しながら説明する。
【００２５】
入力手段１４ａの図示しない専用キーを押下することによって、表示項目を選択するための表示項目選択設定画面に移行し（ステップＳ２０１）、表示機８に図３のように表示項目選択設定画面が表示される。３０１が表示するかしないかを設定する項目であり、入力手段１４ａの図示しないアップダウンキーによってオンオフを設定したい項目にカーソル３０４を上下移動させる。設定したい項目にカーソルを止めてから、入力手段１４ａの図示しないエンターキーによって表示を設定する（ステップＳ２０２）。エンターキーを押下するごとにオンとオフの表示が入れ替わるトグルとなる。
【００２６】
表示範囲時間（図３、３０２）を入力するステップＳ２０３にて、番組表の時間範囲を指定するための始まりと終わりの時間を入力する（図３、３０３）。次にチャンネル切り替え後にどれだけの時間、電子番組表を表示するかの時間を入力するための表示時間入力（図３、３０５）を行う（ステップＳ２０４）。このステップにて時間を入力してエンターキーを押下すると、表示項目が確定（ステップＳ２０５）する。
【００２７】
次に本発明における一覧表表示までの動作を図４、図５を参照しながら説明する。
【００２８】
入力手段１４ａの図示しない簡易記録キーを押下する（ステップＳ４０１）と、前記の表示項目選択設定によって選択された電子番組ガイドデータが読み込まれ（ステップＳ４０２）、番組表作成手段によって一覧表が作成される（ステップＳ４０３）。作成された一覧表は前記のＯＳＤ信号発生手段１７によって文字信号を発生して表示される。
【００２９】
図５に表示された一覧表を示す。５０１は電子番組表作成手段によって作成された電子番組表であり、簡易記録が実行されたときに、時計手段１ａによって現在時刻から簡易記録終了時刻が計算され、また簡易記録対象番組をすべて記録する為に必要となる延長時間も計算されて、５０２のように表示される。
【００３０】
表示範囲設定手段１１によって時間範囲を長く設定した場合には、表示すべき文字列が多くなるため、スクロール手段１５によって電子番組表をスクロールさせることが出来る。
【００３１】
簡易記録が実行されたとき以外でも、一般的に採用されている画面表示キーを押下することによっても、電子番組表を出力させることも可能である。またスクロールせずに電子番組表を一画面で表示するために文字のフォントを小さくすることも可能である。
【図面の簡単な説明】
【００３２】
【図１】本発明に係る実施例のブロック図を表す。
【図２】本発明に係る表示項目選択設定のフローチャートを表す。
【図３】本発明に係る表示項目選択設定画面を表す。
【図４】本発明に係る一覧表表示のフローチャートを表す。
【図５】本発明に係る一覧表表示画面を表す。
【符号の説明】
【００３３】
１  受信手段
１ａ  時計手段
２  分離手段
２ａ  電子番組ガイドデータデコード手段
３  映像データ処理手段
４  音声データ処理手段
６ａ  出力制御手段
１０  表示項目選択手段
１１  時間範囲設定手段
１１ｂ  表示時間設定手段
１２  電子番組表表示設定手段
１３  簡易記録実行手段
１３ａ  簡易記録時間設定手段
１４  電子番組表作成手段
１４ａ  入力手段
１５  スクロール手段
１６  予約設定手段
１７  ＯＳＤ信号発生手段
１８  記録再生手段
【図２】
2008131283.tif 000003
【図４】
2008131283.tif 000004
【図１】
2008131283.tif 000005
【図３】
2008131283.tif 000006
【図５】
2008131283.tif 000007